(57)【要約】      （修正有）【課題】開栓及び通気口の形成を一挙に行うことが可能な開栓具を提供する。【解決手段】開栓具１は、所定方向に延びる長尺状の本体部１０と、本体部１０に設けられ且つ容器２０のキャップ２２と係合可能に構成された係合部１２と、本体部１０の延在方向と交差する第１の方向に突出するように本体部１０に設けられ且つ容器２０を穿孔可能に構成された穿孔部１６と、第１の方向に沿って突出するように本体部１０に設けられた支点部１４とを備える。【選択図】図３
0003213766.tif 000002
【実用新案登録請求の範囲】
【請求項１】
所定方向に延びる長尺状の本体部と、
前記本体部に設けられ且つ容器のキャップと係合可能に構成された係合部と、
前記本体部の延在方向と交差する第１の方向に突出するように前記本体部に設けられ且つ前記容器を穿孔可能に構成された穿孔部と、
前記第１の方向に沿って突出するように前記本体部に設けられた支点部とを備える、開栓具。
【請求項２】
前記係合部、前記支点部及び前記穿孔部は、前記延在方向においてこの順に並んでいる、請求項１に記載の開栓具。
【請求項３】
前記本体部は、前記第１の方向に向けて突出するように屈曲した屈曲部を含んでおり、
前記係合部は前記屈曲部に設けられている、請求項１又は２に記載の開栓具。
【請求項４】
前記支点部は、前記延在方向及び前記第１の方向の双方に交差する第２の方向に沿って延びる軸周りにおいて、前記本体部に対して揺動可能に構成されている、請求項１〜３のいずれか一項に記載の開栓具。
【請求項５】
前記第１の方向において、前記本体部に対する前記穿孔部の突出量は、前記本体部に対する前記係合部及び前記支点部の突出量よりも大きい、請求項１〜４のいずれか一項に記載の開栓具。
【考案の詳細な説明】
【技術分野】
【０００１】
本開示は、開栓具に関する。
【背景技術】
【０００２】
液体（例えば、飲料、化学薬品等）が封入された容器（例えば、金属缶、紙製ボトル、ペットボトル等）を開栓し、開封された注出口から容器内の液体を注ぐ場合、注出口において脈動が生じて、液体が周囲に飛散してしまうことがある。そこで、脈動を抑制するために、容器の口栓についての改良が種々知られている。
【０００３】
例えば、特許文献１は、ステイオンタブ式の飲料缶を開示している。当該飲料缶の蓋部は、蓋壁に対してリベットを介して結合されたタブと、タブから離れる側において蓋壁に形成され且つ注出口切片を区画するように構成された主スコア線と、タブの側方において蓋壁に形成され且つ通気口切片を区画するように構成された補助スコア線と、通気口切片上に設けられたボタンとを備える。
【０００４】
当該蓋部を備える飲料缶を開栓する場合には、まず、リベットを支点としてタブの基端部を引き上げることで、タブの先端部を注出口切片に作用させ、主スコア線に沿って蓋壁を破断させる。続いて、タブの先端部がボタンと重なり合うように、タブをリベット周りに回転させる。その後、リベットを支点としてタブの基端部を引き上げることで、タブの先端部をボタン及び通気口切片に作用させ、補助スコア線に沿って蓋壁を破断させる。このようにすると、蓋壁に、注出口と通気口とが形成される。
【０００５】
一方、例えば特許文献２，３は、注出口及び通気口が設けられた口栓と、注出口及び通気口をそれぞれ閉塞する主栓及び補助栓が設けられたキャップとを備えるキャップ付き口栓を開示している。
【先行技術文献】
【特許文献】
【０００６】
【特許文献１】特開２０１６−５１８９８４号公報
【特許文献２】特開２０１３−０４９４４７号公報
【特許文献３】特開２０１３−２３７４６３号公報
【考案の概要】
【考案が解決しようとする課題】
【０００７】
しかしながら、特許文献１の飲料缶によれば、タブを回転させて、注出口と通気口とを別々に形成しなければならず、手間がかかるものであった。特許文献２，３のキャップ付き口栓によれば、口栓に予め注出口及び通気口が設けられているので、キャップの主栓及び補助栓によってこれらが閉塞されていても、外部の空気の流入及び内部の気体の流出が注出口及び通気口を通じて生ずる懸念がある。そのため、開栓されるまで確実な密封が求められる液体（例えば、揮発性の高い液体、早期に劣化してしまう液体等）に対しては、特許文献２，３のキャップ付き口栓を採用することが困難であった。加えて、特許文献１〜３の容器の蓋部又は口栓はいずれも特別な構成を要するので、そのような構成を有していない従前の容器に対しては、結局、開栓と、通気口の形成とを別々に行う必要があった。
【０００８】
そこで、本開示は、開栓及び通気口の形成を一挙に行うことが可能な開栓具を説明する。
【課題を解決するための手段】
【０００９】
［１］本開示の一つの観点に係る開栓具は、所定方向に延びる長尺状の本体部と、本体部に設けられ且つ容器のキャップと係合可能に構成された係合部と、本体部の延在方向と交差する第１の方向に突出するように本体部に設けられ且つ容器を穿孔可能に構成された穿孔部と、第１の方向に沿って突出するように本体部に設けられた支点部とを備える。この場合、容器のキャップに係合部が係合され且つ支点部の先端が容器に当接された状態で、てこの原理によりキャップを開栓する過程で、支点部と同じ側に突出する穿孔部が容器を穿刺し、通気口が形成される。そのため、容器が特別な構成を有していなくても、極めて簡易な構成の開栓具により、開栓のための一つの動作で開栓と通気口の形成とを一挙に行うことが可能となる。
【００１０】
［２］上記第１項に記載の開栓具において、係合部、支点部及び穿孔部は、延在方向においてこの順に並んでいてもよい。この場合、支点部が係合部と穿孔部との間に位置する。そのため、キャップの開栓のために係合部が上昇すると、同じタイミングで穿孔部が降下して容器を穿刺する。従って、開栓の勢いを利用して、より小さな力で穿孔部により容器を穿刺することが可能となる。
【００１１】
［３］上記第１項又は第２項に記載の開栓具において、本体部は、第１の方向に向けて突出するように屈曲した屈曲部を含んでおり、係合部は屈曲部に設けられていてもよい。この場合、係合部、支点部及び穿孔部がいずれも同じ第１の方向に向けて突出している。そのため、開栓に際して係合部の動作範囲が小さくなるので、キャップの飛び出しを抑制することが可能となる。
【００１２】
［４］上記第１項〜第３項のいずれか一項に記載の開栓具において、支点部は、延在方向及び第１の方向の双方に交差する第２の方向に沿って延びる軸周りにおいて、本体部に対して揺動可能に構成されていてもよい。この場合、係合部の開栓又は穿孔部の穿刺がてこの原理により行われる際、支点部が容器に対してずれ難くなる。従って、開栓又は穿刺を安定的に行うことが可能となる。
【００１３】
［５］上記第１項〜第４項のいずれか一項に記載の開栓具において、第１の方向において、本体部に対する穿孔部の突出量は、本体部に対する係合部及び支点部の突出量よりも大きくてもよい。この場合、係合部を容器のキャップに係合させた状態で、開栓具を全体として降下させていくと、支点部よりも先に穿孔部が容器に到達し、穿孔部による穿刺が行われる。開栓具をさらに全体として降下させていくと、支点部が容器に当接して、支点部の先端周りに開栓具が揺動する。これにより、係合部の力がキャップに作用して、キャップが開栓される。このように、第５項に記載の開栓具によれば、まず容器に通気口が形成される。そのため、容器の内圧が低下した状態で開栓が行われる。従って、キャップが勢いよく飛び出したり、注出口から容器内の液体が吹きこぼれる事態を抑制することが可能となる。
【考案の効果】
【００１４】
本開示に係る開栓具によれば、開栓及び通気口の形成を一挙に行うことが可能となる。
【図面の簡単な説明】
【００１５】
【図１】図１は、開栓具の一例を示す上面図である。
【図２】図２は、図１のＩＩ−ＩＩ線断面図である。
【図３】図３は、開栓具の使用方法を説明するための図である。
【考案を実施するための形態】
【００１６】
以下に説明される本開示に係る実施形態は本考案を説明するための例示であるので、本考案は以下の内容に限定されるべきではない。以下の説明において、同一要素又は同一機能を有する要素には同一符号を用いることとし、重複する説明は省略する。
【００１７】
［開栓具の構成］
まず、開栓具１の構成について、図１及び図２を参照して説明する。開栓具１は、液体が封入されている容器２０（図３参照）を開栓するための道具である。開栓具１は、開栓に適した剛性を有していればよく、例えば金属製（鋼製）であってもよい。開栓具１は、本体部１０と、係合部１２と、支点部１４と、穿孔部１６と、把持部１８とを備える。
【００１８】
本体部１０は、所定方向に延びる長尺状の棒状体である。本体部１０は、その先端近傍において屈曲しており、側方から見てクランク状を呈している。換言すれば、本体部１０は、基端部１０ａと、中間部１０ｂと、先端部１０ｃ（屈曲部）とを含む。基端部１０ａ、中間部１０ｂ及び先端部１０ｃは、いずれも直棒状を呈している。中間部１０ｂは、基端部１０ａの先端から略直角に屈曲されている。先端部１０ｃは、基端部１０ａと略平行に延びるように中間部１０ｂの先端から略直角に屈曲されている。
【００１９】
係合部１２は、本体部１０に設けられており、容器２０に取り付けられているキャップ２２（図３参照）と係合可能に構成されている。具体的には、係合部１２は、ベース部１２ａと、補助部１２ｂとを含む。ベース部１２ａは、薄板状を呈しており、図１に示されるように上方から見てＣ字状を呈している。そのため、ベース部１２ａのＣ字状の内縁をキャップ２２の下端縁に引っ掛けることで、ベース部１２ａとキャップ２２とが係合する。
【００２０】
補助部１２ｂは、薄板状を呈しており、図２に示されるように、側方から見てＬ字状を呈している。補助部１２ｂは、上下方向（図１及び図２のＺ方向）に沿って延びる壁部１２ｃと、水平方向（図１及び図２のＸ方向）に沿って延びる壁部１２ｄとを含む。壁部１２ｃの基端は、ベース部１２ａの上面で且つ本体部１０寄りの領域に接合（例えば、溶接）されている。壁部１２ｃの壁面には、先端部１０ｃの先端が接合（例えば溶接）されている。
【００２１】
壁部１２ｄは、壁部１２ｃの先端から略直角に屈曲されており、ベース部１２ａに沿って延びている。壁部１２ｄは、図２に示されるように、ベース部１２ａと所定間隔で離間している。壁部１２ｄは、図１に示されるように、上方から見て、Ｃ字状のベース部１２ａによって囲まれる空間及びベース部１２ａのＣ字状の内縁と重なり合っている。そのため、ベース部１２ａにキャップ２２が係合されると、ベース部１２ａと補助部１２ｂ（壁部１２ｄ）との間でキャップ２２が保持される。
【００２２】
支点部１４は、図２に示されるように、本体部１０の延在方向（図１及び図２のＸ方向）と交差する方向（図１及び図２のＺ方向；第１の方向）に沿って突出するように基端部１０ａに設けられている。支点部１４は、ベース部１４ａと、揺動部１４ｂとを含む。
【００２３】
ベース部１４ａは、棒状体であり、Ｚ方向に延びるようにベース部１２ａに接合（例えば溶接）されている。揺動部１４ｂは、Ｘ方向及びＹ方向の双方に直交する方向（図１及び図２のＹ方向；第２の方向）に沿って延びる軸１４ｃを介して、ベース部１４ａに取り付けられている。そのため、揺動部１４ｂは、ベース部１２ａ，１４ａに対して軸１４ｃ周りに揺動可能に構成されている。揺動部１４ｂの下端には、矩形状の薄板１４ｄが接合（例えば溶接）されている。
【００２４】
穿孔部１６は、Ｚ方向に沿って突出するように基端部１０ａに設けられている。穿孔部１６は、下端が尖鋭な針状部材である。穿孔部１６の基端は基端部１０ａに接合（例えば溶接）されている。穿孔部１６は、支点部１４よりもベース部１２ａの基端側に位置している。そのため、係合部１２、支点部１４及び穿孔部１６は、本体部１０の先端から基端に向かう方向においてこの順に並んでいる。図２に示されるように、Ｚ方向において、基端部１０ａに対する穿孔部１６の突出量ｄ１（離間距離）は、基端部１０ａに対する係合部１２及び支点部１４の突出量ｄ２，ｄ３（離間距離）よりも大きく設定されている。
【００２５】
把持部１８は、基端部１０ａの基端に取り付けられている。把持部１８は、開栓具１の使用時に作業者が手で掴む部分として機能する。把持部１８は、滑り止め効果を得るために、例えば、天然ゴム、シリコーンゴムで形成されていてもよい。把持部１８の表面は、同じく滑り止め効果を得るために、凹凸状を呈していてもよい。
【００２６】
［開栓具の使用方法］
続いて、図３を参照して、開栓具１の使用方法、すなわち開栓具１による容器２０の開栓方法について説明する。図３に示される容器２０は、上下端が封止された有底四角筒状を呈しており、例えばＪＩＳ  Ｚ  １６０２：２００３に規定される角形の金属缶である。容器２０の蓋壁２０ａ一つの角部には、注出口２０ｂが形成されている。注出口２０ｂには、キャップ２２が嵌合されている。
【００２７】
このような容器２０を開栓する場合には、まず、図３（ａ）に示されるように、係合部１２をキャップ２２に係合する。具体的には、ベース部１２ａを蓋壁２０ａとキャップ２２との間に差し入れて、キャップ２２の下端縁にベース部１２ａのＣ字状の内縁を引っ掛けつつ、ベース部１２ａと補助部１２ｂの壁部１２ｄとでキャップ２２を保持する。
【００２８】
この状態で、作業者が把持部１８を把持して、係合部１２を支点にして開栓具１全体を降下させると、突出量ｄ１が突出量ｄ２，ｄ３よりも大きいので、支点部１４よりも先に穿孔部１６が蓋壁２０ａに到達する。作業者が開栓具１全体をさらに降下させると、支点部１４の薄板１４ｄが蓋壁２０ａに当接するまで、穿孔部１６が蓋壁２０ａを穿刺する。これにより、穿孔部１６により蓋壁２０ａに通気口２０ｃが形成される（図３（ｂ）参照）。一方、薄板１４ｄの蓋壁２０ａに対する当接面積は比較的大きいので、薄板１４ｄは蓋壁２０ａを穿刺しない。
【００２９】
次に、作業者が開栓具１全体をさらに降下させると、支点部１４を支点にして、力点である把持部１８に近い側の穿孔部１６が蓋壁２０ａを穿刺しつつさらに降下する一方で、係合部１２が上昇しようとする。そのため、係合部１２からキャップ２２に対して上向きの力が作用して、図３（ｂ）に示されるように、キャップ２２が注出口２０ｂから開栓される。このとき、キャップ２２は、ベース部１２ａと壁部１２ｄとで保持されているので、開栓の勢いによるキャップ２２の飛び出しが抑制される。
【００３０】
作業者が開栓具１全体をさらに降下させると、図３（ｂ）に示されるように、穿孔部１６を支点にして、キャップ２２を保持した係合部１２がさらに上昇する。その後、開栓具１を蓋壁２０ａから取り外すことで、開栓と、穿孔部１６による通気口２０ｃの形成とが完了する。
【００３１】
［作用］
以上のような本実施形態では、容器２０のキャップ２２に係合部１２が係合され且つ支点部１４の先端（薄板１４ｄ）が蓋壁２０ａに当接された状態で、てこの原理によりキャップ２２を開栓する過程で、支点部１４と同じ側に突出する穿孔部１６が蓋壁２０ａを穿刺し、通気口２０ｃが形成される。そのため、容器２０が特別な構成を有していなくても、極めて簡易な構成の開栓具１により、開栓のための一つの動作で開栓と通気口２０ｃの形成とを一挙に行うことが可能となる。
【００３２】
本実施形態では、係合部１２、支点部１４及び穿孔部１６は、Ｘ方向においてこの順に並んでいる。すなわち、支点部１４が係合部１２と穿孔部１６との間に位置する。そのため、キャップ２２の開栓のために係合部１２が上昇すると、同じタイミングで穿孔部１６が降下して蓋壁２０ａを穿刺する。従って、開栓の勢いを利用して、より小さな力で穿孔部１６により蓋壁２０ａを穿刺することが可能となる。
【００３３】
本実施形態では、係合部１２が、基端部１０ａに対して屈曲された先端部１０ｃに設けられている。そのため、係合部１２、支点部１４及び穿孔部１６がいずれも同じＺ方向に向けて突出している。従って、開栓に際して係合部１２の動作範囲が小さくなるので、キャップ２２の飛び出しをより抑制することが可能となる。
【００３４】
本実施形態では、支点部１４（揺動部１４ｂ）が本体部１０に対して揺動可能に構成されている。そのため、係合部１２の開栓又は穿孔部１６の穿刺がてこの原理により行われる際、支点部１４が容器に対してずれ難くなる。従って、開栓又は穿刺を安定的に行うことが可能となる。
【００３５】
本実施形態では、Ｚ方向において、突出量ｄ１が突出量ｄ２，ｄ３よりも大きく設定されている。そのため、係合部１２を容器２０のキャップ２２に係合させた状態で、開栓具１を全体として降下させていくと、支点部１４よりも先に穿孔部１６が容器に到達し、穿孔部１６による蓋壁２０ａの穿刺が行われる。開栓具１をさらに全体として降下させていくと、支点部１４が蓋壁２０ａに当接して、支点部１４の先端周りに開栓具１が揺動する。これにより、係合部１２の力がキャップ２２に作用して、キャップ２２が開栓される。このように、本実施形態では、まず容器２０に通気口２０ｃが形成される。そのため、容器２０の内圧が低下した状態で開栓が行われる。従って、キャップ２２が勢いよく飛び出したり、注出口２０ｂから容器２０内の液体が吹きこぼれる事態を抑制することが可能となる。
【００３６】
［変形例］
以上、本開示に係る実施形態について詳細に説明したが、本考案の要旨の範囲内で種々の変形を上記の実施形態に加えてもよい。例えば、係合部１２、支点部１４及び穿孔部１６がＸ方向においてこの順に並んでいなくてもよい。具体的には、係合部１２、穿孔部１６及び支点部１４がＸ方向においてこの順に並んでいてもよいし、穿孔部１６、係合部１２及び支点部１４がＸ方向においてこの順に並んでいてもよい。これらの場合、係合部１２による開栓と穿孔部１６による穿刺とが同時期に行われたり若干前後して行われたりしうるものの、開栓のための一つの動作で開栓と通気口２０ｃの形成とを一挙に行うことが可能となる。
【００３７】
係合部１２、支点部１４及び穿孔部１６は、本体部１０のいずれの位置に設けられていてもよい。
【００３８】
本体部１０は、屈曲していてもよいし、屈曲していなくてもよい。例えば、本体部１０は、全体としてＬ字状を呈していてもよいし、全体として湾曲した弧状を呈していてもよいし、真っ直ぐに延びる直棒状であってもよい。
【００３９】
本体部１０の形態は、容器２０の開栓及び穿孔が可能であれば棒状に限られず、板状、その他の異形状等の種々の形態を呈していてもよい。
【００４０】
支点部１４は、本体部１０に対して揺動可能でなくてもよい。
【００４１】
開栓のための一つの動作で開栓と通気口２０ｃの形成とを一挙に行うことが可能であれば、突出量ｄ１〜ｄ３は特に制限されない。
【符号の説明】
【００４２】
１…開栓具、１０…本体部、１０ｃ…先端部（屈曲部）、１２…係合部、１４…支点部、１６…穿孔部、１８…把持部、２０…容器、２２…キャップ。
【図１】
0003213766.tif 000003
【図２】
0003213766.tif 000004
【図３】
0003213766.tif 000005